(57)【要約】  【課題】石油系油又は石炭系油の貯留タンクに堆積するタンクスラッジについて、タンクスラッジ中に含まれる可燃性の有機物のみならず、不燃性の無機物についても有効利用することを課題とする。  【解決手段】本発明のタンクスラッジの有効利用方法は、タンクスラッジと溶剤とを混合して分散体とし、該分散体をセメント焼成工程に供給することを特徴とする。好ましくは、前記タンクスラッジに含まれれる鉄分をセメント原料として算入し、セメント成分を調整する。【選択図】          図１
2005239449.tif 000002
【特許請求の範囲】
【請求項１】
タンクスラッジと溶剤とを混合して分散体とし、該分散体をセメント焼成工程に供給することを特徴とするタンクスラッジの有効利用方法。
【請求項２】
前記分散体に含まれる鉄分をセメント原料として算入し、セメント成分の調整を行うことを特徴とする請求項１に記載のタンクスラッジの有効利用方法。
【請求項３】
前記タンクスラッジを、前記セメント焼成工程におけるか焼炉バーナー若しくはキルンバーナーに供給することを特徴とする請求項１又は２に記載のタンクスラッジの有効利用方法。
【発明の詳細な説明】
【技術分野】
【０００１】
本発明は、タンクスラッジの有効利用方法に関し、より詳しくは、タンクスラッジ中に含まれる有機物のみならず無機物についても有効利用する方法に関する。
【背景技術】
【０００２】
石油系油や石炭系油等の油類は、タンクに貯蔵されてから使用されるのが通例であるが、該タンクは、法令により定期的に開放検査することが決められている。しかし、該タンクの底部には、油に溶けなくなった水アメ状のタンクスラッジが溜まっているため、該タンクスラッジをタンクから取り除く必要がある。
タンクから除去されたタンクスラッジは、非常に粘性が高くて取り扱いづらいものであるため、その大半が焼却処理されているのが現状である。
【０００３】
従来、このようなタンクスラッジを有効利用する方法として、該タンクスラッジをごみ固形燃料から得た炭素質材と混合し、固形燃料化する方法が開示されている（特許文献１）。
【特許文献１】特開２００１−２７９２８３号公報
【発明の開示】
【発明が解決しようとする課題】
【０００４】
しかしながら、該タンクスラッジには、油が変質した有機物のみならず、タンク内壁等から混入した鉄錆等といった不燃性の無機物が含まれている。そうすると、従来のように該タンクスラッジを固形燃料化して利用した場合には、該不燃性の無機物は燃料として有効利用されないだけでなく、灰分となって再度処理する必要が生じる。
【０００５】
本発明は、このような従来技術の問題点に鑑み、タンクスラッジを有効利用するに際し、タンクスラッジ中に含まれる可燃性の有機物のみならず、不燃性の無機物についても有効利用することを課題とする。
【課題を解決するための手段】
【０００６】
上記課題を解決すべく、本発明者らが鋭意研究したところ、タンクスラッジに含まれる不燃性の無機物は鉄を主成分とするものであり、セメントクリンカーの構成成分として有効に利用し得ること、及び溶剤とタンクスラッジとを混合して分散体とすることにより、取り扱い性が極めて良好となることを見出した。即ち、本発明のタンクスラッジの有効利用方法は、タンクスラッジと溶剤とを混合して分散体とし、該分散体をセメント焼成工程に供給することを特徴とする。
【０００７】
本発明に係るタンクスラッジの有効利用方法によれば、タンクスラッジを燃焼させることによってこれに含まれる有機物を有効利用することができ、しかも不燃性の無機物についてもセメントクリンカーの構成成分として有効利用することができる。
さらに、タンクスラッジと溶剤とを混合して分散体としているため、該分散体をバーナーから他の燃料と共にセメント焼成工程中へ噴霧燃焼させる方法で容易に利用することができる。
【０００８】
また、本発明は、前記タンクスラッジの有効利用方法において、好ましくは、前記タンクスラッジに含まれる鉄分をセメント原料として算入し、セメント成分を調整することを特徴とする。タンクスラッジ中の不燃性の無機物は主として鉄分から構成されているため、該鉄分をセメント原料として算入してセメント成分の調整を行うことにより、所望の化学組成を有するセメントを焼成することが可能となる。
【０００９】
また、本発明は、前記タンクスラッジの有効利用方法において、好ましくは、前記分散体を、前記セメント焼成工程におけるか焼炉バーナー若しくはキルンバーナーに供給することを特徴とする。か焼炉バーナー又はキルンバーナーに供給することにより、タンクスラッジ中の有機物を直ちに燃焼させてその熱量をセメント焼成工程に必要な熱量として有効利用することができ、さらに不燃性の無機物をセメントキルンにおいて他のセメント原料とともに焼成して、セメントの構成成分として有効利用することができる。
【発明の効果】
【００１０】
以上のように、本発明に係るタンクスラッジの有効利用方法によれば、タンクスラッジ中に含まれる可燃性の有機物を有効利用できるだけでなく、不燃性の無機物についてもセメント原料として有効利用することができる。
【発明を実施するための最良の形態】
【００１１】
以下、本発明に係るタンクスラッジの有効利用方法について、図面を参照しつつ更に詳細に説明する。
【００１２】
図１は、本発明のタンクスラッジの有効利用方法に好適に使用されるタンクスラッジ利用装置の一実施形態を概念的に示したフロー図である。図１に示すように、本実施形態の利用装置は、処理対象であるタンクスラッジを貯留するためのタンクスラッジストレージ１と、溶剤を貯留するための溶剤タンク２と、該タンクスラッジと溶剤とを撹拌混合して分散体とするための撹拌混合機３と、該分散体を貯留する分散体ストレージ４と、該分散体をバーナーへ圧送するためのポンプ７と、該ポンプによって分散体が供給されるか焼炉バーナー８およびキルンバーナー９とを備えている。また、前記分散体ストレージ４は、該分散体を撹拌するための撹拌機５と、該分散体を予熱するための加熱ヒータ６とを備えている。そして、これらか焼炉バーナー８およびキルンバーナー９は、一般的なセメント焼成装置を構成するか焼炉１０およびセメントキルン１１にそれぞれ備え付けられている。
【００１３】
次に、斯かるタンクスラッジ利用装置を用いたタンクスラッジの有効利用方法の一実施形態について説明する。
【００１４】
まず、本発明の処理対象であるタンクスラッジを、タンクスラッジストレージ１に貯留するとともに、溶剤を溶剤タンク２に貯留する。
タンクスラッジは、石油系油又は石炭系油の貯蔵タンクの底部に堆積した堆積物や、石油系油又は石炭系油用の各種機器の清掃時等に排出される油混じりの泥分といった油含有の高粘度廃棄物であり、可燃性の有機物と不燃性の無機物とから構成されたものである。
【００１５】
一方、該タンクスラッジと混合する溶剤としては、可燃性であり且つ前記タンクスラッジを分散状態とし得るものであれば、特に限定されない。該溶剤としては、例えば、廃油、再生油、灯油、軽油、重油、アルコールおよび炭化水素系溶剤から選ばれる１種、又は２種以上の混合物を挙げることができる。
【００１６】
次に、これらタンクスラッジおよび溶剤をタンクスラッジストレージ１および溶剤タンク２からそれぞれ混合撹拌機３へ供給し、撹拌混合する。タンクスラッジと溶剤とを撹拌混合して調製する分散体の状態としては、ポンプによる圧送に支障のない粘度と、該分散体をセメント焼成工程に供給した際にタンクスラッジの微粒子が速やかに燃焼する程度の粒径を有するものが好ましい。具体的には、該分散体の粘度は、５０〜１０００００ｃｐ、タンクスラッジの微粒子の粒径が０．０１〜５０μｍとなるように撹拌混合することが好ましい。また、タンクスラッジと溶剤との配合割合については特に限定されず、タンクスラッジの性状および溶剤の特性等を考慮して、分散体が上述のような状態となる範囲とすることが好ましい。具体的には、タンクスラッジ１００重量部に対して、溶剤を５０〜５００重量部混合することが好ましい。
【００１７】
また、該撹拌混合機３における具体的な撹拌混合手段としては、溶剤とタンクスラッジとを上述のような分散体にし得るものであれば特に限定されず、例えばピンミキサーやタワーミル等の機械的撹拌手段を使用することができる。さらに、必要に応じて、超音波撹拌手段を用いてもよい。
【００１８】
また、タンクスラッジには多くの水が含まれていることが多いため、前記撹拌混合機３における撹拌混合の際には、界面活性剤を添加し、水と油との分離を防いでもよい。或いは、界面活性剤を添加することなく撹拌混合し、その後、例えば下流側の分散体ストレージ４において、分散体から水相を分離してもよい。
【００１９】
分散体ストレージ４では、撹拌機５によって該分散体を撹拌しつつ、加熱ヒータ６により分散体を予熱することが好ましい。分散体を予熱すると該分散体の粘度が低下するため、ポンプによる圧送が容易となりしかもバーナーにおける燃焼状態が良好となる。また、分散体を予熱することにより、溶剤のみで同粘度とする場合に比べて、溶剤の使用量を大幅に減らすことができる。タンクスラッジの予熱温度は、タンクスラッジの性状によって異なるが、概ね５０〜１１０℃とすることが好ましい。
【００２０】
そして、このようにして調製された分散体は、ポンプ７によってか焼炉バーナー８およびキルンバーナー９へ圧送され、従来使用されている燃料と共に噴霧燃焼される。
【００２１】
上述のように、タンクスラッジは、可燃性の有機物のみならず不燃性の固形物をも含むものであるため、前記分散体をセメント焼成工程に供給すると、不燃性の固形物がセメント成分としてセメント中に添加されることとなる。そこで、本発明では、タンクスラッジに含まれる不燃性の無機物のうちの鉄分に着目し、好ましくは該鉄分をセメント原料として算入することにより、セメント成分の調整を行うこととする。即ち、一般的なポルトランドセメントの製造には、石灰原料、粘土質原料、けい酸質原料、酸化鉄原料、せっこうといったセメント原料が使用され、それぞれの含有成分に基づいてセメント成分の調整が行われるが、本発明においては、前記か焼炉バーナーおよびキルンバーナーより供給される鉄分もセメント原料として算入し、セメント成分の調整を行う。
【００２２】
具体的には、まず、タンクスラッジストレージ１中に貯留されたタンクスラッジの一部を採取し、該タンクスラッジ中に含まれる鉄分の割合を測定する。そして、か焼炉バーナーおよびキルンバーナーより供給する分散体量から鉄分量を求め、これをセメント原料としての鉄分として算入し、それに応じて他のセメント原料としての鉄分（即ち、酸化鉄原料）の配合量を減らすことにより、セメント成分の調整を行うことができる。
【００２３】
尚、前記実施形態では、か焼炉バーナー８およびキルンバーナー９を使用する場合について説明したが、何れか一方のみから前記分散体を供給してもよい。
また、供給する際には、一般的に使用されている燃料と混合して同じバーナーから供給してもよいが、該燃料とは別のバーナーを用いて前記分散体を個別に供給してもよい。
【産業上の利用可能性】
【００２４】
本発明にタンクスラッジの有効利用方法は、石油系油および石炭系油の貯留タンクに堆積するタンクスラッジを処理する際、有効に活用することができる。
【図面の簡単な説明】
【００２５】
【図１】本発明のタンクスラッジの有効利用方法に使用されるタンクスラッジ利用装置の一実施形態を模式的に示した図。
【符号の説明】
【００２６】
１        タンクスラッジストレージ
２        溶剤タンク
３        撹拌混合機
４        分散体ストレージ
５        撹拌機
６        加熱ヒータ
７        ポンプ
８        か焼炉バーナー
９        キルンバーナー
【図１】
2005239449.tif 000003